(57)【要約】【課題】昇降路において、かご上部で作業員による作業が行われる際に、作業員自身の安全性を確保すると共に、工具や保守部品などを落下させることのない改良されたエレベータのかご装置を提供する。【解決手段】作業員７０が、巻上機取り付け部材７１に取り付けられた巻上機７２の分解点検などの保守作業を実施する場合、巻上機７２側のネット装置１１の先端にあるフック１７を巻上機７２の下部付近の構造体に掛けることで巻上機７２の下側をネット１３で受ける。【選択図】図７
2008030898.tif 000002
【特許請求の範囲】
【請求項１】
エレベータかごの上部側縁に取り付けられたかご枠上梁と、
上記かご枠上梁に常時は倒伏状態に設置され、必要時に立設状態を構成するかご上手摺と、
上記かご枠上梁に着脱手段により着脱自在に装着されるネット装置と、を備え、
上記ネット装置は、ケース内に設けられる軸部材に巻回されるネットと、上記軸部材を上記ネットの巻回方向に常時付勢する付勢手段と、上記ネットの先端部に装着される係止部材と、を含む構成であることを特徴とするエレベータのかご装置。
【請求項２】
上記ネットの先端部に軟質のネット枠部材を装着し、上記ネット枠部材にブラシを装着したことを特徴とする請求項１記載のエレベータのかご装置。
【請求項３】
上記付勢手段は、上記軸部材に巻回された巻き取りばねであることを特徴とする請求項１又は請求項２に記載のエレベータのかご装置。
【請求項４】
上記着脱手段は、上記軸部材の端部に装着される軸端部材と、上記軸端部材を常時軸方向に付勢する弾性部材と、を備えたことを特徴とする請求項１〜請求項３のいずれかに記載のエレベータのかご装置。
【請求項５】
上記係止部材は、マグネットであることを特徴とする請求項１〜請求項４のいずれかに記載のエレベータのかご装置。
【請求項６】
上記係止部材は、フックであることを特徴とする請求項１〜請求項４のいずれかに記載のエレベータのかご装置。
【発明の詳細な説明】
【技術分野】
【０００１】
この発明は、エレベータかごの上部に作業用の手摺が立設され、そのかご上部で作業員による作業が行われるエレベータのかご装置に関するものである。
【背景技術】
【０００２】
従来、エレベータかご（以下、単にかごと略す。）の上部における一辺の縁部に下部が枢着されて、通常時はかごの上部に倒伏配置され必要時に立設される一側手摺と、かごの上部における一辺に対向した他辺の縁部に下部が枢着されて、通常時はかごの上部に倒伏配置され必要時に立設される他側手摺と、上記一側手摺と他側手摺間に配置され、上記一側手摺、あるいは他側手摺と同様に、通常時はかごの上部に倒伏配置され必要時に立設される接続辺手摺を備えたエレベータのかご装置がある（例えば、特許文献１参照）。
【０００３】
このエレベータのかご装置は、通常時に接続辺手摺がかごの上部に沿う倒伏位置に保持され、一側手摺及び他側手摺の両者が倒伏した接続辺手摺の上に倒伏状態に配置されて保持される。そして、昇降路に設けられたエレベータ機器の保守作業時には、先ず一側手摺及び他側手摺の両者が回動されて立設位置に保持され、その後に接続辺手摺が回動されて立設位置に保持されるように構成されている。
【０００４】
【特許文献１】特開２００２−２８４４６９号公報（段落００１４〜段落００２０、図１、図３）
【発明の開示】
【発明が解決しようとする課題】
【０００５】
上記特許文献１に開示された従来のエレベータのかご装置では、昇降路において、かご上部で作業員により作業が行われる際に、かご上部に立設された手摺により作業員自身の安全性は確保されるが、工具や保守部品などを一側手摺、他側手摺、あるいは接続辺手摺の間から落下させることがあり、このような場合に工具や保守部品などの回収が出来ない問題点を有しており、更に、工具や保守部品などの落下により他の機器の破損あるいは故障の原因、所謂、二次災害を招く問題点を有している。
【０００６】
この発明は、かかる問題点を解決することを目的としたもので、昇降路において、かご上部で作業員による作業が行われる際に、作業員自身の安全性を確保すると共に、工具や保守部品などを落下させることのない改良されたエレベータのかご装置を提供するものである。
【課題を解決するための手段】
【０００７】
この発明によるエレベータのかご装置は、エレベータかごの上部側縁に取り付けられたかご枠上梁と、上記かご枠上梁に常時は倒伏状態に設置され、必要時に立設状態を構成するかご手摺と、上記かご枠上梁に着脱手段により装着されるネット装置、とを備え、上記ネット装置は、ケース内に設けられる軸部材に巻回されるネットと、上記軸部材を上記ネットの巻回方向に常時付勢する付勢手段と、上記ネットの先端部に装着される係止部材と、を含む構成としたものである。
【発明の効果】
【０００８】
この発明によれば、昇降路の巻上機や制御盤などの点検作業時に、ネット装置により工具や部品を昇降路へ誤って落下させることを防ぐことができ、また、工具や部品の落下により昇降路機器を傷つけ、思わぬエレベータ故障を引起す二次災害を防ぐ効果もある。
【発明を実施するための最良の形態】
【０００９】
以下に添付図面を参照して、この発明に係るエレベータのかご装置について好適な実施の形態を詳細に説明する。
【００１０】
実施の形態１．
図１から図６はこの発明の実施の形態１を説明する図で、図１はかご上部の斜視図、図２はネット装置の斜視図、図３は図２のＢ−Ｂ線断面図、図４はネット装置の取り付け部を説明する部分斜視図、図５はネット装置の巻き取り部の詳細を説明する斜視図、図６はかご上部にネット装置を装備した状態の斜視図である。
【００１１】
図１において、かご１には側部上部の両側にガイドシュー２が取り付けられ、このガイドシュー２は昇降路内に設置されたかご枠柱３に沿って移動し、かご１の昇降をガイドする。かご１には扉開閉装置４により開閉されるかご扉５が設けられると共に、天井上面６に照明具を収納する照明ケース７が設けられている。
【００１２】
また、かご１の上部側縁には、かご枠上梁８が取り付けられており、このかご枠上梁８にかご上手摺９が設けられている。このかご上手摺９は、上記特許文献１と同様に、通常時はかご１の上部に倒伏状態に設置され、必要時に立設状態を構成する一側手摺９ａと、かご１の上部における一側手摺９ａに対向し、通常時はかご１の上部に倒伏状態に設置され、必要時に立設状態を構成する他側手摺９ｂと、一側手摺９ａと他側手摺９ｂ間に配置され、上記一側手摺９ａあるいは他側手摺９ｂと同様に、通常時はかご１の上部に倒伏状態に設置され、必要時に立設状態を構成する接続辺手摺９ｃを備えており、このかご上手摺９には、図１中に一点鎖線の丸で示すＡ部の拡大図に見られるように、後述するネット装置を取り付けるピン部材１０が設けられている。
【００１３】
次に、図２および図３に示すように、ネット装置１１は、軸部材であるネット巻き取り軸１２にネット１３が多層にわたって螺旋状に巻回されており、この巻回されたネット１３は、ネット巻き取り軸１２と共にケース１４内に収納されている。ネット１３の先端部分は、ケース１４のネット取り出し口１５から突出しており、この突出したネット１３の先端部にはその幅方向に渡ってネット枠１６が取り付けられている。なお、ネット枠１６は軟質部材からなり、ケース１４のネット取り出し口１５より広幅に形成されている。そして、ネット枠１６には係止部材、例えばフック１７と共に、ブラシ１８が装着されている。
【００１４】
ネット装置１１は上記のように構成されており、かご枠上梁８に取り付けられた取付金具１９の軸受け穴２０にネット巻き取り軸１２を挿入することにより、かご枠上梁８に装着される。
【００１５】
ネット巻き取り軸１２は、図４に示すように、その先端に装着される軸端部材１２ａが、弾性部材であるばね２１により軸方向に付勢される構成となっている。即ち、軸端部材１２ａと弾性部材であるばね２１により着脱手段２２が構成されており、着脱手段２２の軸端部材１２ａがばね２１により軸方向に付勢されることにより、ネット装置１１はかご枠上梁８に取り付けられ、また、着脱手段２２のばね２１の弾性力に抗して軸端部材１２ａが押圧されることにより、ネット装置１１はかご枠上梁８から取り外されるように構成されている。これによりネット装置１１はかご枠上梁８に対して着脱自在となり、使用しないときは取り外しておくこともできる。なお、ネット巻き取り軸１２の両軸端には図５に示すように、付勢手段、即ち巻き取りばね２３が装着されており、この巻き取りばね２３により、ネット１３は常時、巻回方向に付勢されている。なお、付勢手段としては巻き取りばね２３に代わって電動モータ等の他の手段で構成してもよいが、巻き取りばね２３であれば安価に構成できる利点がある。
【００１６】
実施の形態１によるエレベータのかご装置は上記のように構成されており、作業員が昇降路内でかご１の上部で作業する場合には、図２に示すように、ネット装置１１を、かご枠上梁８に取り付けられた取付金具１９の軸受け穴２０に軸１２を挿入してかご枠上梁８に装着する。次に、ネット枠１６を手で引上げ、フック１７をかご上手摺９のピン部材１０に掛けることにより、図６に示すように、かご上手摺９の周囲をネット装置１１で覆う。
【００１７】
以上のように、実施の形態１によるエレベータのかご装置によれば、通常のかご上部での作業時には、図６のようにかご上手摺９の周囲をネット装置１１で覆うことにより、工具や部品を昇降路へ落下させるのを防ぐ効果がある。また、エレベータの故障によりかご１の天井に設けられた救出口（図示せず）から乗客を救出する場合においては、乗客から昇降路が丸見えにならないように、かご上手摺９の周囲をネット装置１１で覆うことにより、乗客に対し不安を与えることなく救助することができる効果がある。
【００１８】
実施の形態２．
次に、実施の形態２について図７を用いて説明する。図７は実施の形態２を示す図で、昇降路の巻上機の保守作業を示す斜視図である。即ち、作業員７０が、巻上機取り付け部材７１に取り付けられた巻上機７２の分解点検などの保守作業を実施する場合、巻上機７２側のネット装置１１の先端にあるフック１７を巻上機７２の下部付近の構造体に掛けることで巻上機７２の下側をネット１３で受けることができる。なお、巻上機７２は巻上げロープ７３を巻回することにより、かご１を昇降させ、その他の部分は実施の形態１と同様であるので、同一符号を付すことにより、説明を省略する。
【００１９】
この実施の形態２によれば、例えば、作業員７０が、巻上機７２の分解点検をする時に、工具や部品を落としてもネット１３で受けることができる。またネット枠１６を軟質材で構成することにより、フック１７を掛ける構造体の形状になじませることができる。また、ネット１３の先端に備えられたブラシ１８が昇降路の構造体に掛けたフック１７と昇降路壁との隙間を塞ぐ作用がでるためボルトなど小物部品を隙間から落すことを防ぐことができる。
【００２０】
実施の形態３．
次に、実施の形態３について図８を用いて説明する。実施の形態２ではネット１３は先端に備えられたフック１７で昇降路の構造体に掛けた例について説明したが、実施の形態３は、図８に示すようにフック１７に並べて紐８０の先端にマグネット８１を備えたもので、昇降路の機器や構造体にマグネット８１で取り付けられるようにしたものである。なお、その他の部分は実施の形態１と同様であるので、同一符号を付すことにより、説明を省略する。
【００２１】
この実施の形態３によれば、フック１７の掛けられない形状でも金属製の部材であれば、マグネット８１の磁力により、ネット１３を取り付けることができ、またフック１７かマグネット８１のいずれかで取り付けられるのでより汎用性を高めることができる。
【００２２】
なお、上記各実施の形態においては、この発明を昇降路内に巻上機や制御盤を置いた機械室レスエレベータに適用した例について図示説明したが、従来の機械室付エレベータに採用しても良いことは言うまでもない。
【産業上の利用可能性】
【００２３】
以上のように、この発明によるエレベータのかご装置は、昇降路において、かご上部で作業員が作業する場合に利用できるものである。
【図面の簡単な説明】
【００２４】
【図１】この発明の実施の形態１におけるかご上部の斜視図である。
【図２】この発明の実施の形態１におけるネット装置の斜視図である。
【図３】図２のＢ−Ｂ線断面図である。
【図４】この発明の実施の形態１におけるネット装置の取り付け部の部分斜視図である。
【図５】この発明の実施の形態１におけるネット装置の巻き取り部の詳細斜視図である。
【図６】この発明の実施の形態１におけるネット装置をかご上部に装備した状態の斜視図である。
【図７】実施の形態２における昇降路の巻上機の保守作業を示す斜視図である。
【図８】実施の形態３におけるネット装置の斜視図である。
【符号の説明】
【００２５】
１  かご                            ２  ガイドシュー
３  かご枠柱                        ４  扉開閉装置
５  かご扉                          ６  天井上面
７  照明ケース                      ８  かご枠上梁
９  かご上手摺                    １０  ピン部材
１１  ネット装置                    １２  ネット巻き取り軸
１３  ネット                        １４  ケース
１５  ネット取り出し口              １６  ネット枠
１７  フック                        １８  ブラシ
１９  取付金具                      ２０  軸受け穴
２１  軸                            ２２  着脱手段
２３  巻き取りばね                  ７０  作業員
７１  巻上機取り付け部材            ７２  巻上機
７３  巻上げロープ                  ８０  紐
８１  マグネット
【図１】
2008030898.tif 000003
【図２】
2008030898.tif 000004
【図３】
2008030898.tif 000005
【図４】
2008030898.tif 000006
【図５】
2008030898.tif 000007
【図６】
2008030898.tif 000008
【図７】
2008030898.tif 000009
【図８】
2008030898.tif 000010